(57)【特許請求の範囲】
【請求項１】
マルチプレックス駆動を使用した液晶表示装置の駆動法であって、
Ｌ本（Ｌは２以上の整数）の走査電極を同時に選択し、実質的に直交性を有するＬ行Ｋ列の選択行列（Ｋは整数）に選択パルス系列を対応させるとともに、
階調データの表示に際し、各画素で表示すべきデータの濃度レベル系列が選択行列によって実質的に直交変換された結果にもとづいて生成される２種類の電圧パルスを画素に印加することにより、非選択状態にある走査電極上の画素に印加されるＲＭＳ電圧を実効的に所定の非選択電圧値に維持されるようにし、さらに、
同時選択される特定の走査電極群に注目した場合に、非選択状態にある走査電極上の画素に印加されるＲＭＳ電圧が実効的に所定の非選択電圧値に一致するまでの走査電極の選択回数を、２を超えて２Ｋ未満に設定することを特徴とする液晶表示装置の駆動法。
【請求項２】
フレーム変調法による階調生成を併用することを特徴とする請求項１記載の液晶表示装置の駆動法。
【請求項３】
フレーム変調法は空間変調を伴うことを特徴とする請求項１または２記載の液晶表示装置の駆動法。
【請求項４】
同時選択される走査電極の数が４本であることを特徴とする請求項１、２または３記載の液晶表示装置の駆動法。
【発明の詳細な説明】
【０００１】
【発明の属する技術分野】
本発明は、単純マトリクス型液晶表示装置の階調駆動法に関する。
【０００２】
【従来の技術】
単純マトリクス型液晶表示素子の基本的な駆動方式（マルチプレックス駆動）としては、１ライン順次選択法（例えばＡＰＴ：Alt Pleshko Technique やそれを改良したＩＡＰＴ：Improved Alt Pleshko Technique）が従来から良く知られている。この手法はオン／オフレベルを簡単に駆動できるため、マルチプレックス駆動方式として非常に有効である。しかし、単純マトリクス型液晶表示素子はＴＦＴなどの能動素子を用いないため、高速応答性の液晶表示素子を駆動した場合には、フレーム応答によるコントラスト低下が生じる問題があった。
【０００３】
これを解決するために提案された手法が、複数ライン同時選択（Multi Line Selection）法であり、これにより高速で高コントラストの表示が可能となってきている。また、同様の目的で全ライン同時選択するタイプ（ＡＡ：Active Addressing ）を用いた試みも報告されている。このように新しいアドレッシング技術が進展し、表示の品位が向上してきている。
【０００４】
ところで、近年のパーソナルコンピュータやＴＶなどのディスプレイにおいて、多階調表示することへの要求が高まってきており、液晶表示素子においても例外ではない。階調表示には、いくつかの方法が用いられている。
【０００５】
トランジスタ、ダイオードなどを用いた能動型（アクティブタイプ）駆動方式においては、表示データの濃度レベルに応じて高さが変化するような電圧パルスを用いて、比較的単純に振幅変調ができる。これは、液晶に加えられる電圧が基本的にスタティック波形であるためである。
【０００６】
しかし、ＳＴＮ（スーパーツイステッドネマチック）素子などに代表される非能動型（パッシブタイプ）のマルチプレックス駆動方式においては、単純に表示データの濃度レベルに応じて高さが変化するような電圧パルスを印加すると、非選択時の電圧が変動してしまう。このような状況下で、非能動型マルチプレックス駆動方式において、階調を表示する方式として、いくつかの方式が用いられ、または提案されてきている。
【０００７】
【発明が解決しようとする課題】
従来のＳＴＮの駆動においては、階調表示を行うために、フレーム変調（ＦＲＣ：Frame Rate Control）法やパルス幅変調（ＰＷＭ：Pulse Width Modulation）法が提案され、かつ用いられている。また、最近、振幅変調（ＡＭ：Amplitude Modulation）法も提案された。以下、簡単にその説明をし、続いて、これらの手法を複数ライン同時選択に適用した場合の問題を説明する。
【０００８】
（１）フレーム変調（ＦＲＣ）法
複数の表示フレームを用いて階調を表示する方式である。つまり、２値状態であるオン状態とオフ状態の数により中間調を構成する。例えば、３フレームを用いた場合、オン／オン／オン、オン／オフ／オン、オフ／オン／オフ、オフ／オフ／オフの４つの状態が表示できる。
【０００９】
しかし、この方式で多階調化すると、フリッカー（ちらつき）の発生につながる問題がある。フレーム数が増えるので表示が完結するまでの時間が長くなるためである。そのため、実際には、ＦＲＣ法と空間的に位相をずらす空間変調法とを組合せて、このようなちらつきを見えにくくすることが多い。しかしこれでも、１６階調程度が限界と考えられている。
【００１０】
もう一つの重要な問題は、ビデオ表示への対応が困難な点にある。例えば動画を表示させるためには、動画の切り替わる周期で表示が完結する必要がある。このため、多くのフレームを用いることができず、多階調表示が困難となる。
【００１１】
具体的には、例えば、フレーム周波数が１２０Ｈｚ（一般的な周波数であり、１フレーム長は８．３ｍｓ）の場合、毎秒３０画面（３０Ｈｚ）の動画を表示するためには、４フレームで表示を完結させる必要がある。この場合、表示できる階調数はたかだか５〜８階調程度である。このように、動画表示においてはＦＲＣでは充分な多階調表示ができなかった。
【００１２】
（２）パルス幅変調（ＰＷＭ）
１選択期間を例えば２n 個に分割し、オン状態の期間とオフ状態の期間を振り分ける手法である。ＦＲＣをフレーム内で行う手法と考えてもよい。しかし、この手法は、分割数に比例して駆動周波数が増大するため、高密度、多階調の表示になるほど表示むらが大きくなるという欠点がある。
【００１３】
（３）振幅変調（ＡＭ）
前述のように、単純マトリクスマルチプレックス型の液晶表示装置では、単純に表示データの濃度レベルに応じて高さが変化するような電圧パルスを印加できず、非選択画素の実効値電圧の変動を防ぐための工夫が必要である。このために、複数の電圧を印加する手法と、仮想電極を用いる手法の２つが提案されている。
【００１４】
前者は、２つ以上のフレームで異なるデータ（カラム）電圧を印加するか、１選択期間を２つ以上に分け、異なるデータ電圧を印加する手法である。複数の電圧印加により非選択時の電圧実効値が一定となり、正しい階調表示が実現できる。具体的には、例えば、数１の２種のデータＸ，Ｙに対応する電圧を、フレームごとまたは１選択期間中に切替えて印加すればよい。
【００１５】
【数１】
Ｘ＝ｄ＋（１−ｄ2 ）0.5
Ｙ＝ｄ−（１−ｄ2 ）0.5
【００１６】
ここで、ｄは表示データ（オンを−１とし、オフを１としたデータ）である。以後、数１に示したような複数のデータＸ，Ｙを分割データと呼ぶことにする。このような分割データの一部のみを印加した時点では、電圧実効値が所望の値に一定せず、アドレッシングが完了していない。このため、これらの分割データをフレームごとに分けて印加する場合、このフレームを通常のフレームと区別して、サブフレームと呼ぶことにする。特にＸデータが印加されるサブフレームをＸサブフレーム、Ｙデータが印加されるサブフレームをＹサブフレームと呼ぶ。分割データは、データの濃度レベルに応じて変化する成分（ｄ）を含む。また、それぞれの分割データは、補正項（±（１−ｄ2 ）0.5 ）も含むため、非選択画素の電圧実効値を一定に保つことができる。なお、それぞれの分割データに基づいてさらに新しい分割データを生成することにより、２種を超える分割データを使用できる。
【００１７】
この手法では、複数の電圧レベルを供給できるような装置が必要である。Ｋ階調を表示するために、（２Ｋ−２）個のレベルの電圧が必要になる。つまり、８階調の場合なら、１４レベルである。階調数が増えるほどレベル数は増大する。レベル数の増大は、大きなコストアップ要因である。また、基本的に２つのレベルでの電圧印加で１つの状態が決まるので、単位電圧印加時間（電圧パルス幅）を一定にすると表示完結のフレーム長が従来の２倍になる。
【００１８】
非選択画素の実効値変動を防ぐ手法の他の一つは、１行以上の仮想行を設け、そこに、非選択時の電圧を補正するための仮想データを表示するように駆動するか、または仮想的に決められた電圧レベルを印加する手法である。この手法はフレーム長を２倍にしないので、周波数はほとんど変わらないという利点がある。しかし、全てのラインデータを用いた演算が必要なこと、供給する電圧のレベル数が階調数と補正レベル数との和になって、著しく増大することが欠点である。特に、電圧レベル数が多くなる点は重大で、ＡＭ法が広く用いられていない最大の理由である。
【００１９】
これらの２つの手法には、特開平６−１３８８５４、特開平６−２３６１６７に開示された方法や、同様の考え方で特開平６−８９０８２（ＥＰ５６９９７４）にＰＨＭ（Pulse Hight Modulation）と称して開示された手法をも含むことができる。
【００２０】
以上のように、振幅変調を用いた階調表示手法では、回路構成の複雑化と、多レベルのドライバの必要性によるコスト上昇が大きな課題となっていた。
【００２１】
かかる問題を解決するために、本出願人は特開平９−４３５７１に記載された発明を提案した。これは、（ａ）階調データの表示に際し、それぞれの波高値に表示すべきデータの濃度レベルに応じて変化する成分を含むような複数の電圧パルスを画素に印加することにより、非選択状態にある走査電極上の画素に印加されるＲＭＳ電圧を表示の１フレーム内において実効的に一定とすること、および、（ｂ）上記複数の電圧パルスに含まれる一部の電圧パルスの波高値が、表示に使用する画素の濃度状態の異なる少なくとも２つにおいて共通になるようにして、表示に必要な電圧パルスの波高値のレベル数を削減することを特徴とするもので、ＡＭ法に必要な電圧レベルの大幅な削減に成功した。
【００２２】
特開平９−４３５７１には、ここに記載された発明を複数ライン同時選択法に適用する場合に、選択行列中の列ベクトルの印加順序との関係で、ＡＭ法による階調に必要な複数の分割データをどのような順序で印加するのがよいことについて言及されている。
【００２３】
すなわち、同時選択される特定の走査電極群に注目した場合に、データ電極に印加される信号は、所望の階調データを表示するために必要な全ての分割データを直交変換することによって形成された複数の信号を、選択行列の列ベクトルごとに１まとまりとなって、選択パルスの印加のタイミングに対応して連続的に印加することが好ましいというものである。このようにすると、データの分割数だけのスキャンを行うことにより、そのデータ電極上の画素の電圧実効値が非選択期間において所定の一定値に一致するため、カラム波形の低周波成分を抑制できる。したがって、動画表示にように画像データが頻繁に変化する場合であっても、スムーズな画像変化が得られる。
【００２４】
しかしながら、このような分割データの印加順序を採用した場合に、横筋むらが見えるようになる場合があることがわかってきた。
【００２５】
すなわち、本発明は、ＡＭ法による階調を採用した複数ライン同時選択法による液晶表示装置の駆動法において、動画表示をスムーズに行うとともに、横筋むらも抑制できるような駆動法を提供する。
【００２６】
【課題を解決するための手段】
本発明は、前述の課題を解決するものであり、マルチプレックス駆動を使用した液晶表示装置の駆動法であって、
Ｌ本（Ｌは２以上の整数）の走査電極を同時に選択し、実質的に直交性を有するＬ行Ｋ列の選択行列（Ｋは整数）に選択パルス系列を対応させるとともに、
階調データの表示に際し、各画素で表示すべきデータの濃度レベル系列が選択行列によって実質的に直交変換された結果にもとづいて生成される２種類の電圧パルスを画素に印加することにより、非選択状態にある走査電極上の画素に印加されるＲＭＳ電圧を実効的に所定の非選択電圧値に維持されるようにし、さらに、
同時選択される特定の走査電極群に注目した場合に、非選択状態にある走査電極上の画素に印加されるＲＭＳ電圧が実効的に所定の非選択電圧値に一致するまでの走査電極の選択を、２を超えて２Ｋ未満に設定することを特徴とする液晶表示装置の駆動法、を提供する。
【００２７】
【発明の実施の形態】
以下の本明細書の説明では、走査電極を行電極ともいい、データ電極を列電極ともいう。
【００２８】
前述のように、本発明は、２つの公知の駆動法を採用することを前提とする。１つは、Ｌ本（Ｌは２以上の整数）の走査電極を同時に選択し、実質的に直交性を有するＬ行Ｋ列の選択行列（Ｋは整数）に選択パルス系列を対応させる、いわゆる複数ライン同時選択法である。他の１つは、階調データの表示に際し、表示すべきデータの濃度レベルに応じて変化する成分をそれぞれの波高値に含むような２種類の電圧パルスを画素に印加することにより、非選択状態にある走査電極上の画素に印加されるＲＭＳ電圧を実効的に所定の非選択電圧値に維持されるようにするいわゆるＡＭ法による階調表示法である。
【００２９】
ＡＭ法に含まれる方法は、出願人が、特開平６−１３８８５４、特開平６−２３６１６７で開示している方法と、特開平６−８９０８２に開示された方法があるが、これらは、ＡＭ方式の無限にある解のうちのいくつかをそれぞれ提案したものになっている。すなわち、それぞれの波高値に表示すべきデータの濃度レベルに応じて変化する成分を含むような複数の電圧パルスを画素に印加することによって、階調表示する方法は以下のような条件で表される。
【００３０】
Ｌ（２以上）本の走査電極を同時に選択し、選択された走査電極へ印加する信号としては、直交関数信号Ａ［Ａmi］（ここで、ＡmiはＬ行Ｋ列の直交行列Ａのｍ行ｉ列の要素で１，−１，または０。ｍは１〜Ｌの整数であり、ｉは１〜Ｋの整数であり、１表示サイクル中のｉ番目の選択信号に相当する。）を加えるものとした場合に、特定のカラムの、一括選択される電極のグループにおけるｊ番目（ｊは１〜Ｌの整数）のラインの上の画素について、所定の階調レベルｄj （ｄj は階調の濃度に応じてオフを示す１とオンを示す−１との間の値をとる。）を得るために、（Ｃ1 ，Ｃ2 ，・・・，ＣK ）＝（ｄ1 ，ｄ2 ，・・・，ｄL ）Ａとすると、列電圧には実質的に数２によって表現される２種類の電圧に比例する電圧が印加される。
【００３１】
【数２】
Ｘi ＝Ｃi ＋（ｑi −Ｃi2）1/2
Ｙi ＝Ｃi −（ｑi −Ｃi2）1/2
【００３２】
ただし、Σｑi ＝一定≧ｔｒ［ tＡＡ］である（ここで、ｔは行列の転置を、ｔｒ［  ］は［  ］内の行列の対角成分の和を示す）。
【００３３】
出願人が、特開平６−２３６１６７で開示している方法は、Σｑi ＝ｔｒ［ tＡＡ］、かつ、ｑi が全てのｉについて等しい場合であり、特開平６−８９０８２に開示された方法のうち、Split Interval Mode と称される方法は、パルス幅変調による階調表示方法に合わせて、ｑi をｉについて変動させながら設定したものである。もちろん、これらは結果として、互いに異なった電圧パルスを使用することになる。
【００３４】
本発明では、上記のいずれのＡＭ法も採用可能であるが、以下は、説明の便宜上、数１の２つのレベルの使用に基づいた駆動法を例にとって説明する。
【００３５】
上記の２つの提案をより具体的に説明するため、まず、複数行同時選択法において、ＡＭ法による階調表示を行った場合の選択パルスシーケンスの例を具体的に説明する。
【００３６】
ＡＭ法を伴わない複数ライン同時選択法における列電極表示パターンベクトル（Ｄ）と列電極電圧シーケンスベクトル（ｃ）との関係は一般的に数３のように、ベクトルとマトリクスとからなる表式で書ける。
【００３７】
【数３】
（ｃ）＝（Ｄ）（Ｓ）
ただし（ｃ）＝（ｃ1 ，ｃ2 ，・・・，ｃN ）
（Ｄ）＝（Ｄ1 ，Ｄ2 ，・・・，ＤM ）
（Ｄ）：列電極表示パターンベクトル
（ｃ）：列電極電圧シーケンスベクトル
（Ｓ）：行電極パルスシーケンス行列
【００３８】
ここで、ベクトル（Ｄ）、ベクトル（ｃ）、行列（Ｓ）は以下のようなものである。列電極表示パターンベクトル（Ｄ）＝（Ｄ1 ，Ｄ2 ，・・・，ＤM ）は、行電極本数Ｍ（仮想電極や仮想サブグループを含む）と等しい要素を持ち、特定の列電極上の行電極に対応する表示データを要素とする。従前と同様に、オフの場合を１、オンの場合を−１とする。列電極電圧シーケンスベクトル（ｃ）＝（ｃ1 ，ｃ2 ，・・・，ｃN ）は、１フレーム内に印加されるパルス数Ｎと等しい要素を持ち、特定の列電極に対する電圧レベルを１フレーム内で時系列で並べたものを要素とする。
【００３９】
行電極パルスシーケンス行列（Ｓ）は、Ｍ行Ｎ列の行列であり、特定の列電極に対する行電極電圧レベルからなる列ベクトルを１フレーム内で時系列で並べたものを要素とする。非選択の行電極に対応する要素は０とされる。典型的な行電極パルスシーケンス行列（Ｓ）は、選択行列Ａのｉ列目の列ベクトルＡi 、ならびにゼロベクトルＺe により数４のように書かれる。
【００４０】
【数４】
0003791997.tif 000002
【００４１】
複数ライン同時選択法の原理によれば、行電極パルスシーケンス行列（Ｓ）内の列ベクトルの入れ替えは任意に行うことができる。したがって、行電極サブグループの数ＮS と選択行列Ａの列ベクトルの数Ｋとの間に特定の関係を満足させれば、行電極パルスシーケンス行列（Ｓ）内の列ベクトルの入れ替えにより、ＮS 番目のサブグループの選択からサブグループ１の選択に移行する場合の、選択行列Ａの列ベクトルの飛びをなくせる。
【００４２】
具体的には、同時選択行本数（仮想電極も含めて）が４本で選択行列Ａの列ベクトルの数が４の場合は、サブグループの数を８１とすれば、数５に示すように、サブグループ８０からサブグループ１の選択に移行する際の選択行列の列ベクトルの飛びをなくせる。こうすると、不必要な低周波成分をなくせるので、フリッカーの抑制に効果的である場合が多い。サブグループの数が、現実のパネルと合致しない場合は、ダミーのサブグループを設けることにより、選択行列の列ベクトルの飛びをなくせる。
【００４３】
【数５】
0003791997.tif 000003
【００４４】
ところで、本発明で採用したＡＭ法においては、１つのサブフレームでは、非選択画素の電圧実効値が一定にはならず、最低２つのサブフレームを必要とする。このような本発明において、１フレームの列電極表示パターンベクトル（Ｄ）と列電極電圧シーケンスベクトル（ｃ）との関係を表現するためには、上記の表式に若干の修正を加える必要がある。２つのサブフレームＸ，Ｙで１フレームを表現する場合を例にとり、この場合の（Ｄ）、（ｃ）、（Ｓ）を先のＡＭ法を併用しない場合と区別して、それぞれ、（ＤX+Y ）、（ｃX+Y ）、（ＳX+Y ）と表現する。数３と同様に、数６が成立する。
【００４５】
【数６】
（ｃX+Y ）＝（ＤX+Y ）（ＳX+Y ）
ただし（ｃX+Y ）＝（ｃ1 ，ｃ2 ，・・・，ｃ2N）
（ＤX+Y ）＝（Ｄ1 ，Ｄ2 ，・・・，Ｄ2M）
【００４６】
数６において、（ＤX+Y ）＝（Ｄ1 ，Ｄ2 ，・・・，Ｄ2M）は、行電極本数Ｍ（仮想電極や仮想サブグループを含む）の２倍の要素を持ち、特定の列電極上の行電極に対応する分割データＸと分割データＹとを要素とする。説明の便宜上、（ＤX+Y ）の１番目からＭ番目までの要素とＭ＋１番目から２Ｍ番目までの要素がそれぞれ前記の特定の列電極上のＭ本の行電極に対応するとする。また、列電極電圧シーケンスベクトル（ｃX+Y ）＝（ｃ1 ，ｃ2 ，・・・，ｃ2N）は、１サブフレーム内に印加されるパルス数Ｎの２倍の要素を持ち、特定の列電極に対する電圧レベルを１フレーム内で時系列で並べたものを要素とする。（ＳX+Y ）は典型的には数３の（Ｓ）を用いて数７のように表現される。ここにおいて、Ｚe はゼロ行列である。
【００４７】
【数７】
0003791997.tif 000004
【００４８】
すなわち、行電極パルスシーケンス行列（ＳX+Y ）は、２Ｍ行２Ｎ列の行列であり、特定の列電極に対する行電極電圧レベルからなる列ベクトルを１フレーム内で時系列で並べたものを要素とする。（ＳX+Y ）の第１行から第Ｍ行までと、第Ｍ＋１行から第２Ｍ行までとはそれぞれ１フレーム内にそれぞれ２回の選択状態が生じるパネルの行電極に対応する。また、（ＳX+Y ）の列ベクトルは特定の列電極に対する行電極電圧レベルからなる列ベクトルを１フレーム内で時系列で並べたものに対応する。
【００４９】
本発明でいう「同時選択される特定の走査電極群に注目した場合に、非選択状態にある走査電極上の画素に印加されるＲＭＳ電圧が実効的に所定の非選択電圧値に一致するまでの走査回数を、２を超えて２Ｋ未満に設定する」という条件は、数１の分割データＸ，Ｙを用いてＡＭ法による階調表示を得る場合には、具体的には、以下のようなものである。
【００５０】
すなわち、２ｋ（ｋは１を超えてＫ未満の整数）回のスキャンが行われる間に、ｋ個の分割データＸとそれに対応するｋ個の分割データＹとに応じた電圧がデータ電極に印加される。すなわち、２ｋ回のスキャンで、非選択状態にある走査電極上の画素に印加されるＲＭＳ電圧が実効的に所定の非選択電圧値に一致する。
【００５１】
例えば、４行４列の選択行列を用いるときは、Ｋ＝４であるから、ｋ＝２に設定することができる。８行８列の選択行列を用いるときは、Ｋ＝８であるから、ｋ＝２、３、４、５、６に設定することができる。このうち、ｋ＝２とｋ＝４とはＫの約数であるため、非選択状態にある走査電極上の画素に印加されるＲＭＳ電圧が実効的に所定の非選択電圧値に一致する周期を一定にできるので、好ましい。
【００５２】
印加されるカラム信号のシーケンスを具体的に書き下すと、以下のようになる。
【００５３】
ｉ番目の同時選択される行サブグループの選択時に特定のカラム電極にはｊ番目の選択行列の列ベクトルで直交変換したＸサブフレームの分割階調データが信号として印加される場合に、この信号をｇXij と表し、同様に、ｉ番目の同時選択される行サブグループの選択時に特定のカラム電極にはｊ番目の選択行列の列ベクトルで直交変換したＹサブフレームの分割階調データが信号として印加される場合に、この信号をｇYij と表すとする。
【００５４】
４行４列の選択行列を用いて、５サブグループの選択ごとに分割データＸに基づくカラム電圧レベルと分割データＹに基づくカラム電圧レベルとを入れ替えるとする。４回のスキャンで非選択状態にある走査電極上の画素に印加されるＲＭＳ電圧を実効的に所定の非選択電圧値に一致させる場合は、列電極電圧シーケンスベクトル（ｃX+Y ）は、数８のようになる。これはもちろん、サブグループの数は、５よりも大きい場合である。分割データＸと分割データＹの表現は順序が逆であってもよい。
【００５５】
【数８】
0003791997.tif 000005
【００５６】
なお、何サブグループの選択ごとに分割データＸに基づくカラム電圧レベルと分割データＹに基づくカラム電圧レベルとを入れ替えるかは、カラム電圧波形のひずみによる実効電圧低下を考慮して、実験的に定めることができる。
【００５７】
一方、特開平９−４３５７１で開示した方法は、数９のような列電極電圧シーケンスベクトル（ｃX+Y ）となる。
【００５８】
【数９】
0003791997.tif 000006
【００５９】
この場合も、５選択パルス（すなわち、５サブグループの選択）を周期にして分割データＸに基づくカラム電圧レベルと分割データＹに基づくカラム電圧レベルとを入れ替えている。
【００６０】
数９のカラム電圧シーケンスを使用する場合に比べて、数８のカラム電圧シーケンスを使用する場合は、顕著に横筋むらが低減する。一方、ｋ＝Ｋとすると、データ電極上の画素の電圧実効値が非選択期間において所定の一定値に一致するまでに時間がかかるので、動画表示を行うと、それが縦筋状のむらとなる欠点がある。
【００６１】
数９のカラム電圧シーケンスを使用する場合に比べて、数８のカラム電圧シーケンスを使用する場合に横筋むらが低減する理由は明らかではない。しかし、この横筋むらは、中間調を画面全体に表示した場合、各行電極での平均した実効電圧は等しいものの、フレーム応答が起こった場合は、駆動電圧のパルス系列の違いが行単位の明暗として観測されるものではないかと考えられ、数８のカラム電圧シーケンスの方が非選択時の電圧が一定になる周期が長いため、パルス系列も平均化されやすいのではないかと推察される。
【００６２】
特に、ＡＭ法による階調表示とＦＲＣ法による階調表示とを併用し、複数ライン同時選択法により仮想ラインを用いて駆動する場合（たとえば、３本のライン同時選択に１本の仮想ラインを使用した場合など）にこの横筋むらは顕著になる。逆に、このような場合に本発明を適用することが非常に有効である。
【００６３】
これまでの例では、選択ベクトルはサブグループの選択毎に変化する（たとえば、選択ベクトルが選択行列内でインクリメントされる）ベクトルシーケンスの例を示したが、ベクトルシーケンスとしては、いくつかのサブグループの選択にわたり同一選択ベクトルを用いることもできる。最も長い同一選択ベクトルの使用は、２サブフレームにわたる場合である。すなわち、第１、第２スキャンがベクトル１、次の２スキャンがベクトル２、というケースである。この場合、数１３のように、ベクトルが毎選択ごとに変化する場合に比べ、カラム電圧波形の基本周波数は非常に低くなる。この、基本周波数は、いくつかの選択毎に周期的にベクトルを進めることにより、調整できる。Ｗパルスごとに、ベクトルを進める場合、数８の場合に比べ、基本周波数は１／Ｗ倍になる。
【００６４】
【発明の効果】
本発明によれば、ＡＭ法による階調を採用した複数ライン同時選択法による液晶表示装置の駆動法において、動画表示をスムーズに行うとともに、横筋むらも抑制できるような駆動法が得られる。